(57)【要約】【課題】レビューユーザに操作負担をかけることなく、複数のレビューユーザが会議形式で同時にコメントの内容を確認しながら短時間に効率良くレビューを進めることができるようにする。【解決手段】参加者レビュー端末１が入力部１２で入力されたレビュー対象文書の一部もしくは全部の範囲を選択する選択範囲情報またはレビュー対象文書の一部もしくは全部に対する指摘事項情報を主催者レビュー端末１へ送信し、主催者レビュー端末１が受信した選択範囲情報または指摘事項情報を記憶部１４に記憶された端末識別情報で識別される参加者レビュー端末１へ送信し、その選択範囲情報または指摘事項情報を参加者レビュー端末１の表示部１１に表示させるようにした。【選択図】        図２
2009059302.tif 000002
【特許請求の範囲】
【請求項１】
記憶部に記憶されたレビュー対象文書を配信する主催者レビュー端末と、通信回線を介して主催者レビュー端末と接続され、該主催者レビュー端末から受信したレビュー対象文書を表示部に表示する参加者レビュー端末とを有するレビューシステムにおいて、
通信回線を介して接続された参加者レビュー端末を識別するための端末識別情報を記憶する記憶部と、
入力部で受け付けた入力情報を前記記憶部に記憶された端末識別情報に基づいて参加者レビュー端末へ送信する配信手段とを備えた主催者レビュー端末を設け、
参加者レビュー端末が入力部で入力されたレビュー対象文書の一部もしくは全部の範囲を選択する選択範囲情報またはレビュー対象文書の一部もしくは全部に対する指摘事項情報を主催者レビュー端末へ送信し、主催者レビュー端末が受信した選択範囲情報または指摘事項情報を前記記憶部に記憶された端末識別情報で識別される参加者レビュー端末へ送信し、その選択範囲情報または指摘事項情報を参加者レビュー端末の表示部に表示させるようにしたことを特徴とするレビューシステム。
【請求項２】
記憶部に記憶されたレビュー対象文書を表示する表示部を有する複数のレビュー端末が通信回線を介して接続されたレビューシステムにおいて、
それぞれのレビュー端末に、
通信回線を介して接続されたレビュー端末を識別するための端末識別情報を記憶する記憶部と、
入力部で受け付けた入力情報を前記記憶部に記憶された端末識別情報に基づいてレビュー端末へ送信する配信手段とを設け、
レビュー端末が入力部で入力されたレビュー対象文書の一部もしくは全部の範囲を選択する選択範囲情報またはレビュー対象文書の一部もしくは全部に対する指摘事項情報を前記記憶部に記憶された端末識別情報で識別されるレビュー端末へ送信し、その選択範囲情報または指摘事項情報を該レビュー端末の表示部に表示させるようにしたことを特徴とするレビューシステム。
【発明の詳細な説明】
【技術分野】
【０００１】
本発明は、レビュー対象である文書およびレビューアが入力した情報を複数のレビュー端末に表示してレビューを行うレビューシステムに関する。
【背景技術】
【０００２】
従来のレビューシステムは、レビュー対象である文書（以下、「レビュー対象文書」という。）をＷｅｂサーバのマスターファイル格納部に格納しておき、レビューユーザはそのＷｅｂサーバにアクセスしてレビュー対象文書を取得し、コメントを入力する。そして、入力されたコメントをマスターファイル格納部に格納するとともにコメントが入力された旨をインスタントメッセージソフトウェアやメール等の手段で他のレビューユーザに通知し、その通知を受けた他のレビューユーザはマスターファイル格納部にアクセスして入力されたコメントを確認するようにしている（例えば、特許文献１参照）。
【特許文献１】特開２００７−１４０７３１号公報（段落「００４４」〜段落「００５６」、図５、図８）
【発明の開示】
【発明が解決しようとする課題】
【０００３】
しかしながら、上述した従来の技術においては、他のレビューユーザからインスタントメッセージソフトウェアやメール等の手段でコメントの入力がされた旨の通知を受けるようにしているため、その通知を受けたレビューユーザはマスターファイル格納部にアクセスして入力されたコメントを表示させる操作が必要になり、複数のレビューユーザが会議形式で同時にコメントの内容を確認しながらレビューを進めるためにはそれぞれのレビューユーザに多大な操作負担がかかるとともに短時間に効率良くレビューを進めることが難しいという問題がある。
【０００４】
本発明は、このような問題を解決することを課題とする。
【課題を解決するための手段】
【０００５】
そのため、本発明は、記憶部に記憶されたレビュー対象文書を配信する主催者レビュー端末と、通信回線を介して主催者レビュー端末と接続され、該主催者レビュー端末から受信したレビュー対象文書を表示部に表示する参加者レビュー端末とを有するレビューシステムにおいて、通信回線を介して接続された参加者レビュー端末を識別するための端末識別情報を記憶する記憶部と、入力部で受け付けた入力情報を前記記憶部に記憶された端末識別情報に基づいて参加者レビュー端末へ送信する配信手段とを備えた主催者レビュー端末を設け、参加者レビュー端末が入力部で入力されたレビュー対象文書の一部もしくは全部の範囲を選択する選択範囲情報またはレビュー対象文書の一部もしくは全部に対する指摘事項情報を主催者レビュー端末へ送信し、主催者レビュー端末が受信した選択範囲情報または指摘事項情報を前記記憶部に記憶された端末識別情報で識別される参加者レビュー端末へ送信し、その選択範囲情報または指摘事項情報を参加者レビュー端末の表示部に表示させるようにしたことを特徴とする。
【発明の効果】
【０００６】
このようにした本発明は、レビューに参加しているそれぞれのレビューユーザにかかる操作負担を軽減することができるとともに、一のレビューユーザにより入力された範囲選択や指摘事項等のコメントの内容を複数のレビューユーザが会議形式で同時に確認しながら短時間に効率良くレビューを進めることができるようになるという効果が得られる。
【発明を実施するための最良の形態】
【０００７】
以下、図面を参照して本発明によるレビューシステムの実施例を説明する。
【実施例】
【０００８】
図１は実施例におけるレビューシステムの構成を示すブロック図、図２は実施例におけるレビュー端末の構成を示すブロック図である。
図１において、１はレビュー端末であり、通信機能を有する通常のパーソナルコンピュータ等である。このレビュー端末１はＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の通信回線２を介して他のレビュー端末１と相互に通信可能に接続されている。
【０００９】
このようにレビューシステムは複数のレビュー端末１が通信回線２を介して通信可能に接続され、それぞれのレビュー端末１がひとつまたは複数のレビュー対象文書を表示し、また指摘事項を入力して会議形式でレビューを実施することができるようになっている。
なお、図１では４台のレビュー端末１が通信回線２を介して接続されているが、４台に限られることなく、２台以上のレビュー端末１が通信回線２を介して接続されているものとする。
【００１０】
次に、レビュー端末１の構成を説明する。
図２において、１１は表示部であり、液晶ディスプレイ等で構成され、各種情報を表示するためのものである。この表示部１１は通信回線２を介して他のレビュー端末１から受信したレビュー対象文書やそれに対する指摘事項等を表示することができ、また各種画像を表示することができるようになっている。
【００１１】
１２は入力部であり、マウスやキーボード等で構成され、利用者の操作を受け付けて各種情報を入力するためのものである。この入力部１２は、表示部１１に表示された画面にしたがってレビュー対象文書に対する指摘事項等の各種情報を入力することができるようになっている。
１３は通信部であり、通信回線２を介して接続された他のレビュー端末１との通信を制御し、レビュー対象文書、それに対する指摘事項や各種処理の結果等の情報の送受信を可能にするものである。この通信部１３はレビュー端末１を識別するための情報、例えばレビュー端末１毎に予め付与されたコンピュータ名称やアドレス（ＩＰアドレス）等に基づいて特定のレビュー端末１との間で通信可能になっている。
【００１２】
１４は記憶部であり、半導体メモリや磁気ディスク等の情報記憶装置である。この記憶部１４はレビュー端末１全体を制御するためのソフトウェア（プログラム）や各種処理を実行するためのソフトウェア（プログラム）やデータ、およびレビューを実行するために必要な情報であるレビュー管理情報等を記憶するものである。
また、記憶部１４は一意のコンピュータ名称やアドレス（ＩＰアドレス）等のレビュー端末１を識別するための情報を予め記憶しておくものとする。
【００１３】
１５は制御部であり、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段等で構成されたものである。この制御部１５は表示部１１、入力部１２、通信部１３、および記憶部１４を含めてレビュー端末１全体の動作を記憶部１４に格納された制御プログラム（ソフトウェア）に基づいて制御する。
【００１４】
ここで、図３の実施例におけるレビュー管理情報の構成を示す説明図に基づいて記憶部１４に記憶するレビュー管理情報を説明する。
図３において、３０はレビュー管理情報であり、レビュー対象文書をそれぞれのレビュー端末１でレビューを実行するために必要な情報群である。このレビュー管理情報３０は、レビュー識別情報３１、レビュー対象文書３２、参加者識別情報３３、端末識別情報３４等で構成されている。
【００１５】
レビュー識別情報３１は、実行するレビューを識別するための情報であり、例えば通番等である。
レビュー対象文書３２は、実行するレビューの対象となる文書を識別するための情報であり、例えばファイルの所在場所、ファイルの名称等である。なお、レビューの対象となる文書は記憶部１４に予め記憶させておくものとし、ひとつまたは複数の文書を登録することが可能になっている。
【００１６】
参加者識別情報３３は、実行するレビューの参加者を識別するための情報であり、例えば参加者毎に予め付与された参加者ＩＤ等である。
端末識別情報３４は、実行するレビューの参加者が操作するレビュー端末１を識別するための情報であり、例えばレビュー端末１毎に予め付与されたコンピュータ名称やアドレス（ＩＰアドレス）等である。
【００１７】
このようにレビュー管理情報３０のレビュー識別情報３１、レビュー対象文書３２、参加者識別情報３３、端末識別情報３４等は相互に関連付けて記憶部１４に記憶されるものとする。
なお、本実施例では、このレビュー管理情報３０を記憶部１４に記憶した１台のレビュー端末１を主催者レビュー端末１と呼び、レビュー管理情報３０を記憶部１４に記憶していないレビュー端末１を参加者レビュー端末１と呼ぶものとする。
【００１８】
上述した構成の作用について説明する。
なお、以下に説明する各部の動作は、記憶部１４に格納されたプログラム（ソフトウェア）に基づいて制御部１５により制御される。
まず、レビューシステムにおけるレビュー参加処理を図４の実施例におけるレビュー参加処理を示すフローチャートの図中Ｓで表すステップにしたがって説明する。
【００１９】
Ｓ１ａ：まず、レビューの主催者はレビュー端末１（主催者レビュー端末１）の入力部１２を操作してレビュー対象文書を識別するための情報を入力する。制御部１５は一意のレビュー識別情報を付与してレビュー識別情報３１とし、入力されたレビュー対象文書を識別するための情報をレビュー対象文書３２として記憶部１４のレビュー管理情報３０に記憶させてレビュー対象文書を登録する。
【００２０】
Ｓ２ａ：主催者レビュー端末１の記憶部１４のレビュー管理情報３０にレビュー対象文書が登録されるとレビューの参加者はレビュー端末１（参加者レビュー端末１）の入力部１２を操作してレビュー対象文書を識別するための情報の一覧を表示部１１に表示させる。
このとき、参加者レビュー端末１の制御部１５は通信部１３を介してレビュー対象文書を識別するための情報を要求する旨の通知をレビュー識別情報とともに主催者レビュー端末１へ送信し、その通知を受信した主催者レビュー端末１の制御部１５は記憶部１４に記憶したレビュー識別情報３１に対応するすべてのレビュー対象文書３２を読み出し、通信部１３を介して要求元の参加者レビュー端末１へ送信する。参加者レビュー端末１の制御部１５は受信したレビュー対象文書３２をレビュー対象文書の一覧として表示部１１に表示させる。
【００２１】
レビューの参加者は、参加者レビュー端末１を操作してレビューの対象であるレビュー対象文書を識別するための情報を特定して入力するものとする。
レビュー対象文書を識別するための情報の入力を入力部１２で受け付けた参加者レビュー端末１の制御部１５は通信部１３を介してレビュー対象文書を識別するための情報、参加者を識別するための情報、および参加者レビュー端末１を識別するための情報とともにレビューに参加する旨の通知を主催者レビュー端末１へ送信する。
【００２２】
Ｓ３ａ：レビューに参加する旨の通知等を受信した主催者レビュー端末１の制御部１５は受信したレビュー対象文書を識別するための情報に基づいてレビュー管理情報３０のレビュー対象文書３２を検索し、対応する参加者識別情報３３および端末識別情報３４に受信した参加者を識別するための情報および参加者レビュー端末１を識別するための情報をそれぞれ格納して参加者を登録する。
【００２３】
Ｓ４ａ：参加者を登録すると主催者レビュー端末１の制御部１５は通信部１３を介して記憶部１４から読み出したレビュー対象文書を登録した端末識別情報３４で識別される参加者レビュー端末１へ送信（配信）する。
なお、主催者レビュー端末１の制御部１５は記憶部１４から読み出したレビュー対象文書を表示部１１に表示させるものとする。
【００２４】
Ｓ５ａ：レビュー対象文書を受信した参加者レビュー端末１の制御部１５はそのレビュー対象文書を表示部１１に表示させてレビューを開始する。
このようにしてレビューシステムはレビュー参加処理を行い、レビューに参加した主催者レビュー端末１および参加者レビュー端末１は同一のレビュー対象文書を表示部１１に表示させて会議形式のレビューを行うことができるようになる。
【００２５】
なお、上述した説明では１台の参加者レビュー端末１がレビューに参加する処理を説明したが、他の参加者レビュー端末１も同様の処理を行いレビューに参加することができる。
次に、レビュー対象文書の一部または全部の範囲をレビュー端末で選択した場合の処理を図５の実施例における範囲選択処理を示すフローチャートの図中Ｓで表すステップにしたがって説明する。
【００２６】
Ｓ１ｂ：レビューの参加者は参加者レビュー端末１（参加者レビュー端末Ａ）のマウス等の入力部１２を操作してレビュー対象文書の一部または全部の範囲を選択するものとする。
例えば、図７に示すように領域７１をマウス等で選択し、レビュー済みであることを設定するものとする。選択された領域７１は反転して表示する。
【００２７】
Ｓ２ｂ：領域が選択されると参加者レビュー端末１（参加者レビュー端末Ａ）の制御部１５は通信部１３を介して選択された領域７１を特定する選択範囲情報（例えば、レビュー対象文書の先頭からの文字数に基づいて選択された領域７１の先端および後端を表した情報）を主催者レビュー端末１へ送信する。
Ｓ３ｂ：選択範囲情報を受信した主催者レビュー端末１の制御部１５（配信手段）はレビュー管理情報３０の端末識別情報３４からレビューに参加している参加者レビュー端末１を識別するための情報を読み出し、通信部１３を介してレビューに参加している参加者レビュー端末１（参加者レビュー端末Ａを除く参加者レビュー端末Ｘ）へその選択範囲情報を送信する。
【００２８】
Ｓ４ｂ：選択範囲情報を送信すると主催者レビュー端末１の制御部１５はその選択範囲情報に基づいて表示部１１に表示しているレビュー対象文書の領域を反転し、参加者レビュー端末１で選択された領域７１と同様に表示する。
Ｓ５ｂ：また、主催者レビュー端末１から選択範囲情報を受信した参加者レビュー端末１（参加者レビュー端末Ｘ）の制御部１５もその選択範囲情報に基づいて表示部１１に表示しているレビュー対象文書の領域を反転し、参加者レビュー端末１（参加者レビュー端末Ａ）で選択された領域７１と同様に表示する。
【００２９】
このようにしてレビューシステムは範囲選択処理を行い、レビューに参加した主催者レビュー端末１および参加者レビュー端末１は範囲選択された同一のレビュー対象文書を即時に表示部１１に表示させて会議形式のレビューを行うことができるようになる。
次に、レビュー対象文書の一部を選択して指摘事項を入力する場合の処理を図６の実施例における指摘事項入力処理を示すフローチャートの図中Ｓで表すステップにしたがって説明する。
【００３０】
Ｓ１ｃ：レビューの参加者は参加者レビュー端末１（参加者レビュー端末Ａ）のマウス等の入力部１２を操作してレビュー対象文書の一部を選択し、指摘事項を入力するものとする。
例えば、図８に示すように６５６行目をマウス等で選択し、指摘事項７２を入力するものとする。この指摘事項は、指摘箇所、指摘内容、対処方法、原因工程、障害分類、適用元等であり、レビュー対象文書への具体的な指摘事項である。
【００３１】
Ｓ２ｃ：指摘事項７２が入力されると参加者レビュー端末１（参加者レビュー端末Ａ）の制御部１５は通信部１３を介して入力された指摘事項７２を特定する指摘事項入力情報（例えば、指摘箇所はレビュー対象文書の行数、指摘内容、対処方法、原因工程、障害分類、適用元等は入力された文字列の情報）を主催者レビュー端末１へ送信する。
Ｓ３ｃ：指摘事項入力情報を受信した主催者レビュー端末１の制御部１５（配信手段）はレビュー管理情報３０の端末識別情報３４からレビューに参加している参加者レビュー端末１を識別するための情報を読み出し、通信部１３を介してレビューに参加している参加者レビュー端末１（参加者レビュー端末Ａを除く参加者レビュー端末Ｘ）へその指摘事項入力情報を送信する。
【００３２】
Ｓ４ｃ：指摘事項入力情報を送信すると主催者レビュー端末１の制御部１５はその指摘事項入力情報に基づいて表示部１１に表示しているレビュー対象文書の指摘箇所を反転し、指摘箇所、指摘内容、対処方法、原因工程、障害分類、適用元等の指摘事項を指摘箇所の近傍に表示する。
Ｓ５ｃ：また、主催者レビュー端末１から指摘事項入力情報を受信した参加者レビュー端末１（参加者レビュー端末Ｘ）の制御部１５もその指摘事項入力情報に基づいて表示部１１に表示しているレビュー対象文書の指摘箇所を反転し、指摘箇所、指摘内容、対処方法、原因工程、障害分類、適用元等の指摘事項を指摘箇所の近傍に表示する。
【００３３】
このようにしてレビューシステムは指摘事項入力処理を行い、レビューに参加した主催者レビュー端末１および参加者レビュー端末１は入力された指摘事項と同一の指摘事項を即時に表示部１１に表示させて会議形式のレビューを行うことができるようになる。
なお、本実施例では、レビュー管理情報３０を記憶部１４に記憶した１台のレビュー端末１を主催者レビュー端末１とし、レビュー管理情報３０を記憶部１４に記憶していないレビュー端末１を参加者レビュー端末１として説明したが、レビュー管理情報３０をそれぞれのレビュー端末１の記憶部１４に記憶させるようにしてもよい。
【００３４】
この場合、レビュー端末１で選択された領域や入力された指摘事項は、そのレビュー端末１が記憶部１４に記憶されたレビュー管理情報３０の端末識別情報３４に基づいてレビューに参加しているすべての参加者レビュー端末１へ送信する。
以上説明したように、本実施例では、参加者レビュー端末１で選択された範囲や入力された指摘事項を即時にレビューに参加した主催者レビュー端末１および参加者レビュー端末１の表示部１１に表示させるようにしたことにより、レビューユーザに操作負担をかけることなく、複数のレビューユーザが会議形式で同時にコメントの内容を確認しながら短時間に効率良くレビューを進めることができるようになるという効果が得られる。
【図面の簡単な説明】
【００３５】
【図１】実施例におけるレビューシステムの構成を示すブロック図
【図２】実施例におけるレビュー端末の構成を示すブロック図
【図３】実施例におけるレビュー管理情報の構成を示す説明図
【図４】実施例におけるレビュー参加処理を示すフローチャート
【図５】実施例における範囲選択処理を示すフローチャート
【図６】実施例における指摘事項入力処理を示すフローチャート
【図７】実施例における範囲選択画面の説明図
【図８】実施例における指摘事項表示画面の説明図
【符号の説明】
【００３６】
１    レビュー端末
２    通信回線
１１  表示部
１２  入力部
１３  通信部
１４  記憶部
１５  制御部
３０  レビュー管理情報
３１  レビュー識別情報
３２  レビュー対象文書
３３  参加者識別情報
３４  端末識別情報
【図１】
2009059302.tif 000003
【図２】
2009059302.tif 000004
【図３】
2009059302.tif 000005
【図４】
2009059302.tif 000006
【図５】
2009059302.tif 000007
【図６】
2009059302.tif 000008
【図７】
2009059302.tif 000009
【図８】
2009059302.tif 000010